(57)【要約】【課題】タッチ操作によるゲームの興趣性を向上させる。【解決手段】ゲームプログラム（１３１）は、プロセッサ（１０）に、操作キャラクタを表示部（１５２）に表示させるステップと、ユーザのタッチ操作入力部（１５１）へのタッチ操作を検出するステップと、操作キャラクタが通常攻撃を行っている間に、タッチ操作を第１の時間（ｔ１）にわたって継続させている操作を受け付けることにより、通常攻撃に続いてチャージ攻撃を操作キャラクタに行わせるステップとを実行させる。【選択図】図３
2020028652.tif 000002
【特許請求の範囲】
【請求項１】
プロセッサを備えるコンピュータにより実行されるゲームプログラムであって、
ゲームプログラムは、プロセッサに、
ユーザが操作可能なオブジェクトを表示部に表示させるステップと、
ユーザのタッチ操作を検出するステップと、
前記オブジェクトが第１の動作を行っている間に、タッチ操作を第１の時間にわたって継続させている操作を受け付けることにより、前記第１の動作に続いて第２の動作を前記オブジェクトに行わせるステップとを実行させる、ゲームプログラム。
【請求項２】
前記オブジェクトが前記第１の動作を行っている間に開始されたタッチ操作が第２の時間にわたって継続されたことを受け付けることにより、前記オブジェクトの第３の動作のためのユーザインターフェースを前記表示部に表示させるステップと、
前記第２の時間まで継続したタッチ操作が、前記表示部における前記第３の動作のためのユーザインターフェースに対応する位置で離れた場合に、前記オブジェクトに第３の動作を行わせるステップと、
を前記プロセッサにさらに実行させる、請求項１に記載のゲームプログラム。
【請求項３】
前記オブジェクトが前記第１の動作を行っている間に開始されたタッチ操作が第２の時間にわたって継続されたことを受け付けることにより、前記オブジェクトの第３の動作のためのユーザインターフェースを前記表示部に表示させるステップと、
前記第２の時間まで継続したタッチ操作が、前記表示部における前記第３の動作のためのユーザインターフェース以外の領域に対応する位置で離れた場合に、前記オブジェクトに前記第２の動作を行わせるステップと、
を前記プロセッサにさらに実行させる、請求項１に記載のゲームプログラム。
【請求項４】
前記オブジェクトが前記第１の動作を行っていない間に、前記ユーザのタッチ操作の位置の移動の距離が所定の値未満であり、前記タッチ操作が第３の時間以上継続し、かつ離れる操作を受け付けた場合に、前記オブジェクトに前記第２の動作以外の動作を行わせるステップを前記プロセッサにさらに実行させる、請求項１〜３のいずれか一項に記載のゲームプログラム。
【請求項５】
前記オブジェクトが前記第１の動作を行っていない間に、前記ユーザのタッチ操作の位置の移動の距離が所定の値未満であり、前記タッチ操作が第３の時間以上継続し、かつ離れる操作を受け付けた場合に、前記オブジェクトに前記第２の動作を行わせるステップ、を前記プロセッサにさらに実行させる、請求項１〜３のいずれか一項に記載のゲームプログラム。
【請求項６】
前記ユーザの操作に応じてパラメータを更新するステップを前記プロセッサにさらに実行させ、
前記パラメータが所定値に達している場合に、前記第１の動作に続いて前記第２の動作をオブジェクトに行わせるステップを実行させる、請求項１に記載のゲームプログラム。
【請求項７】
前記パラメータが所定値未満である場合に、前記オブジェクトが前記第１の動作を行っている間に開始されたタッチ操作が第２の時間にわたって継続されたことを受け付けることにより、前記オブジェクトの第３の動作のためのユーザインターフェースを前記表示部に表示させるステップを前記プロセッサにさらに実行させる、請求項６に記載のゲームプログラム。
【請求項８】
前記オブジェクトが前記第１の動作を行っている間に、前記第１の時間より短い時間にわたって継続させるタッチ操作を受け付けることにより、前記第１の動作に続いて前記第１の動作を前記オブジェクトに行わせるステップを前記プロセッサにさらに実行させる、請求項１〜７のいずれか一項に記載のゲームプログラム。
【請求項９】
前記第１の動作に続いて第２の動作を行わせるステップにおいて、前記第１の動作に続いて前記第１の動作を行わせるステップにおいて連続する前記第１の動作のうち後段の前記第１の動作を前記オブジェクトが行っている間に、前記タッチ操作を前記第１の時間にわたって継続させている操作を受け付けることにより、後段の前記第１の動作に続いて前記第２の動作を前記オブジェクトに行わせる、請求項８に記載のゲームプログラム。
【請求項１０】
前記オブジェクトを表示させるステップにおいて、敵キャラクタと戦闘する前記オブジェクトを表示させ、
前記第１の動作に続いて前記第１の動作を行わせるステップにおいて、連続する前記第１の動作のうち前段の前記第１の動作は、前記敵キャラクタの攻撃を回避する回避動作であり、後段の前記第１の動作は、前記敵キャラクタに対する攻撃動作である、請求項９に記載のゲームプログラム。
【請求項１１】
第１の動作に続いて第２の動作を行わせるステップにおいて、第１の動作を、タップおよびフリックのいずれかを含むタッチ操作の受付によって実行する、請求項１〜１０のいずれか一項に記載のゲームプログラム。
【請求項１２】
第１の動作に続いて第２の動作を行わせるステップにおいて、第２の動作を行わせるための第１の時間にわたって継続する操作の受付期間を第１の動作の種類に応じて異ならせる、請求項１〜１１のいずれか一項に記載のゲームプログラム。
【請求項１３】
コンピュータがゲームプログラムを実行する方法であって、
コンピュータは、プロセッサおよびメモリを備え、
プロセッサが請求項１に記載の各ステップを実行する方法。
【請求項１４】
情報処理装置であって、
情報処理装置は、
請求項１に記載のゲームプログラムを記憶する記憶部と、
該ゲームプログラムを実行することにより、情報処理装置の動作を制御する制御部とを備えている、情報処理装置。
【発明の詳細な説明】
【技術分野】
【０００１】
本開示はゲームプログラム、ゲームプログラムを実行する方法および情報処理装置に関する。
【背景技術】
【０００２】
従来、格闘ゲームが広く知られている。格闘ゲームでは、一般に、ユーザが操作するオブジェクトが、ゲーム中の他のオブジェクトを攻撃する。格闘ゲームでは、操作対象のオブジェクトは、ユーザによる特定の操作入力に応じてより強力な攻撃を発動可能に設定されていることがある。このような場合に、より強力な攻撃を確実に成功させる観点から、格闘ゲームでは、移動中のオブジェクトに対して特定の位置関係にある他のオブジェクトに対して、オブジェクトがより強力な攻撃のような所定の動作を実行するように制御することが知られている（例えば、特許文献１参照）。
【先行技術文献】
【特許文献】
【０００３】
【特許文献１】特開２００６−３０４８６３号公報
【発明の概要】
【発明が解決しようとする課題】
【０００４】
タッチ操作によるゲームでは、ユーザによって操作されるオブジェクトのアクションについて、ゲームの興趣性を高める観点から検討の余地が残されている。
【０００５】
本開示の一態様は、タッチ操作によるゲームの興趣性をより向上させることを目的とする。
【課題を解決するための手段】
【０００６】
本開示に係るゲームプログラムは、プロセッサおよびメモリを備えるコンピュータにより実行される。ゲームプログラムは、プロセッサに、ユーザが操作可能なオブジェクトを表示部に表示させるステップと、ユーザのタッチ操作入力部へのタッチ操作を検出するステップと、前記オブジェクトが第１の動作を行っている間に、タッチ操作を第１の時間にわたって継続させている操作を受け付けることにより、第１の動作に続いて第２の動作を前記オブジェクトに行わせるステップとを実行させる。
【０００７】
また、本開示に係るゲームプログラムを実行する方法は、コンピュータがゲームプログラムを実行する方法であって、前記コンピュータは、プロセッサおよびメモリを備え、前記プロセッサが上記の各ステップを実行する。
【０００８】
また、本開示に係る情報処理装置は、上記のゲームプログラムを記憶する記憶部と、該ゲームプログラムを実行することにより、情報処理装置の動作を制御する制御部とを備えている。
【発明の効果】
【０００９】
本開示の一態様によれば、タッチ操作によるゲームの興趣性を向上させる効果を奏する。
【図面の簡単な説明】
【００１０】
【図１】ゲームシステムのハードウェア構成を示す図である。
【図２】ユーザ端末およびサーバの機能的構成を示すブロック図である。
【図３】本実施形態に係るゲームプログラムに基づいて、ゲームシステムにおいて実行される処理の流れの第１の態様を示すフローチャートである。
【図４】本実施形態に係るゲームプログラムに基づいて、ゲームシステムにおいて実行される処理の流れの第２の態様の要部を示すフローチャートである。
【図５】（Ａ）は、本実施形態に係るゲームプログラムに基づいて、ゲームシステムにおいて実行されるパラメータを更新処理の流れの一例を示すフローチャートであり、（Ｂ）は、パラメータによる判定を含む処理の流れの一例を示すフローチャートである。
【図６】表示部に表示されるゲーム画面の一例を模式的に示す図である。
【図７】（Ａ）は、表示部に表示されるオブジェクトが実行する第１の動作の第１の態様を模式的に示す図であり、（Ｂ）は、当該第１の動作の第２の態様を模式的に示す図であり、（Ｃ）は、当該第１の動作の第３の態様を模式的に示す図である。
【図８】（Ａ）は、表示部に表示されるオブジェクトが実行するチャージ攻撃の準備が完了した様子を模式的に示す図であり、（Ｂ）は、当該チャージ攻撃の一態様を模式的に示す図である。
【図９】表示部に表示されるオブジェクトがスキル行動を実行する準備が完了した様子の一例を模式的に示す図である。
【図１０】（Ａ）は、スキルＵＩが表示されている場合のオブジェクトの様子の一例を模式的に示す図であり、（Ｂ）は、スキル行動の操作入力に応じてオブジェクトが実行するスキル行動の初動の動作の一例を模式的に示す図であり、（Ｃ）は、初動の動作に続いてオブジェクトが実行するスキル行動の動作の一例を模式的に示す図である。
【発明を実施するための形態】
【００１１】
〔実施形態１〕
本開示に係るゲームシステムは、複数のユーザにゲームを提供するためのシステムである。以下、ゲームシステムについて図面を参照しつつ説明する。なお、本発明はこれらの例示に限定されるものではなく、特許請求の範囲によって示され、特許請求の範囲と均等の意味および範囲内でのすべての変更が本発明に含まれることが意図される。以下の説明では、図面の説明において同一の要素には同一の符号を付し、重複する説明を繰り返さない。
【００１２】
＜ゲームシステム１のハードウェア構成＞
図１は、ゲームシステム１のハードウェア構成を示す図である。ゲームシステム１は図示の通り、複数のユーザ端末１００と、サーバ２００とを含む。各ユーザ端末１００は、サーバ２００とネットワーク２を介して接続する。ネットワーク２は、インターネットおよび図示しない無線基地局によって構築される各種移動通信システム等で構成される。この移動通信システムとしては、例えば、所謂３Ｇ、４Ｇ移動通信システム、ＬＴＥ（Ｌｏｎｇ  Ｔｅｒｍ  Ｅｖｏｌｕｔｉｏｎ）、および所定のアクセスポイントによってインターネットに接続可能な無線ネットワーク（例えばＷｉ−Ｆｉ（登録商標））等が挙げられる。
【００１３】
サーバ２００（コンピュータ、情報処理装置）は、ワークステーションまたはパーソナルコンピュータ等の汎用コンピュータであってよい。サーバ２００は、プロセッサ２０と、メモリ２１と、ストレージ２２と、通信ＩＦ２３と、入出力ＩＦ２４とを備える。サーバ２００が備えるこれらの構成は、通信バスによって互いに電気的に接続される。
【００１４】
ユーザ端末１００（コンピュータ、情報処理装置）は、スマートフォン、フィーチャーフォン、ＰＤＡ（Ｐｅｒｓｏｎａｌ  Ｄｉｇｉｔａｌ  Ａｓｓｉｓｔａｎｔ）、またはタブレット型コンピュータ等の携帯端末であってよい。ユーザ端末１００は、ゲームプレイに適したゲーム装置であってもよい。ユーザ端末１００は図示の通り、プロセッサ１０と、メモリ１１と、ストレージ１２と、通信インターフェース（ＩＦ）１３と、入出力ＩＦ１４と、タッチスクリーン１５（表示部）と、カメラ１７と、測距センサ１８とを備える。ユーザ端末１００が備えるこれらの構成は、通信バスによって互いに電気的に接続される。なお、ユーザ端末１００は、タッチスクリーン１５に代えて、または、加えて、ユーザ端末１００本体とは別に構成されたディスプレイ（表示部）を接続可能な入出力ＩＦ１４を備えていてもよい。
【００１５】
また、図１に示すように、ユーザ端末１００は、１つ以上のコントローラ１０２０と通信可能に構成されることとしてもよい。コントローラ１０２０は、例えば、Ｂｌｕｅｔｏｏｔｈ（登録商標）等の通信規格に従って、ユーザ端末１００と通信を確立する。コントローラ１０２０は、１つ以上のボタン等を有していてもよく、該ボタン等に対するユーザの入力操作に基づく出力値をユーザ端末１００へ送信する。また、コントローラ１０２０は、加速度センサ、および、角速度センサ等の各種センサを有していてもよく、該各種センサの出力値をユーザ端末１００へ送信する。
【００１６】
なお、ユーザ端末１００がカメラ１７および測距センサ１８を備えることに代えて、または、加えて、コントローラ１０２０がカメラ１７および測距センサ１８を有していてもよい。
【００１７】
ユーザ端末１００は、例えばゲーム開始時に、コントローラ１０２０を使用するユーザに、該ユーザの名前またはログインＩＤ等のユーザ識別情報を、該コントローラ１０２０を介して入力させることが望ましい。これにより、ユーザ端末１００は、コントローラ１０２０とユーザとを紐付けることが可能となり、受信した出力値の送信元（コントローラ１０２０）に基づいて、該出力値がどのユーザのものであるかを特定することができる。
【００１８】
ユーザ端末１００が複数のコントローラ１０２０と通信する場合、各コントローラ１０２０を各ユーザが把持することで、ネットワーク２を介してサーバ２００などの他の装置と通信せずに、該１台のユーザ端末１００でマルチプレイを実現することができる。また、各ユーザ端末１００が無線ＬＡＮ（Ｌｏｃａｌ  Ａｒｅａ  Ｎｅｔｗｏｒｋ）規格等の無線規格により互いに通信接続する（サーバ２００を介さずに通信接続する）ことで、複数台のユーザ端末１００によりローカルでマルチプレイを実現することもできる。１台のユーザ端末１００によりローカルで上述のマルチプレイを実現する場合、ユーザ端末１００は、さらに、サーバ２００が備える後述する種々の機能の少なくとも一部を備えていてもよい。また、複数のユーザ端末１００によりローカルで上述のマルチプレイを実現する場合、複数のユーザ端末１００は、サーバ２００が備える後述する種々の機能を分散して備えていてもよい。
【００１９】
なお、ローカルで上述のマルチプレイを実現する場合であっても、ユーザ端末１００はサーバ２００と通信を行ってもよい。例えば、あるゲームにおける成績または勝敗等のプレイ結果を示す情報と、ユーザ識別情報とを対応付けてサーバ２００に送信してもよい。
【００２０】
また、コントローラ１０２０は、ユーザ端末１００に着脱可能な構成であるとしてもよい。この場合、ユーザ端末１００の筐体における少なくともいずれかの面に、コントローラ１０２０との結合部が設けられていてもよい。該結合部を介して有線によりユーザ端末１００とコントローラ１０２０とが結合している場合は、ユーザ端末１００とコントローラ１０２０とは、有線を介して信号を送受信する。
【００２１】
図１に示すように、ユーザ端末１００は、外部のメモリカード等の記憶媒体１０３０の装着を、入出力ＩＦ１４を介して受け付けてもよい。これにより、ユーザ端末１００は、記憶媒体１０３０に記録されるプログラム及びデータを読み込むことができる。記憶媒体１０３０に記録されるプログラムは、例えばゲームプログラムである。
【００２２】
ユーザ端末１００は、サーバ２００等の外部の装置と通信することにより取得したゲームプログラムをユーザ端末１００のメモリ１１に記憶してもよいし、記憶媒体１０３０から読み込むことにより取得したゲームプログラムをメモリ１１に記憶してもよい。
【００２３】
以上で説明したとおり、ユーザ端末１００は、該ユーザ端末１００に対して情報を入力する機構の一例として、通信ＩＦ１３、入出力ＩＦ１４、タッチスクリーン１５、カメラ１７、および、測距センサ１８を備える。入力する機構としての上述の各部は、ユーザの入力操作を受け付けるように構成された操作部と捉えることができる。
【００２４】
例えば、操作部が、カメラ１７および測距センサ１８の少なくともいずれか一方で構成される場合、該操作部が、ユーザ端末１００の近傍の物体１０１０を検出し、当該物体の検出結果から入力操作を特定する。一例として、物体１０１０としてのユーザの手、予め定められた形状のマーカーなどが検出され、検出結果として得られた物体１０１０の色、形状、動き、または、種類などに基づいて入力操作が特定される。より具体的には、ユーザ端末１００は、カメラ１７の撮影画像からユーザの手が検出された場合、該撮影画像に基づき検出されるジェスチャ（ユーザの手の一連の動き）を、ユーザの入力操作として特定し、受け付ける。なお、撮影画像は静止画であっても動画であってもよい。
【００２５】
あるいは、操作部がタッチスクリーン１５で構成される場合、ユーザ端末１００は、タッチスクリーン１５のタッチ操作入力部１５１に対して実施されたユーザの操作をユーザの入力操作として特定し、受け付ける。あるいは、操作部が通信ＩＦ１３で構成される場合、ユーザ端末１００は、コントローラ１０２０から送信される信号（例えば、出力値）をユーザの入力操作として特定し、受け付ける。あるいは、操作部が入出力ＩＦ１４で構成される場合、該入出力ＩＦ１４と接続されるコントローラ１０２０とは異なる入力装置（図示せず）から出力される信号をユーザの入力操作として特定し、受け付ける。
【００２６】
＜各装置のハードウェア構成要素＞
プロセッサ１０は、ユーザ端末１００全体の動作を制御する。プロセッサ２０は、サーバ２００全体の動作を制御する。プロセッサ１０および２０は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、およびＧＰＵ（Ｇｒａｐｈｉｃｓ  Ｐｒｏｃｅｓｓｉｎｇ  Ｕｎｉｔ）を含む。
【００２７】
プロセッサ１０は後述するストレージ１２からプログラムを読み出し、後述するメモリ１１に展開する。プロセッサ２０は後述するストレージ２２からプログラムを読み出し、後述するメモリ２１に展開する。プロセッサ１０およびプロセッサ２０は展開したプログラムを実行する。
【００２８】
メモリ１１および２１は主記憶装置である。メモリ１１および２１は、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等の記憶装置で構成される。メモリ１１は、プロセッサ１０が後述するストレージ１２から読み出したプログラムおよび各種データを一時的に記憶することにより、プロセッサ１０に作業領域を提供する。メモリ１１は、プロセッサ１０がプログラムに従って動作している間に生成した各種データも一時的に記憶する。メモリ２１は、プロセッサ２０が後述するストレージ２２から読み出した各種プログラムおよびデータを一時的に記憶することにより、プロセッサ２０に作業領域を提供する。メモリ２１は、プロセッサ２０がプログラムに従って動作している間に生成した各種データも一時的に記憶する。
【００２９】
本実施形態においてプログラムとは、ゲームをユーザ端末１００により実現するためのゲームプログラムであってもよい。あるいは、該プログラムは、該ゲームをユーザ端末１００とサーバ２００との協働により実現するためのゲームプログラムであってもよい。なお、ユーザ端末１００とサーバ２００との協働により実現されるゲームは、一例として、ユーザ端末１００において起動されたブラウザ上で実行されるゲームであってもよい。あるいは、該プログラムは、該ゲームを複数のユーザ端末１００の協働により実現するためのゲームプログラムであってもよい。また、各種データとは、ユーザ情報およびゲーム情報などのゲームに関するデータ、ならびに、ユーザ端末１００とサーバ２００との間または複数のユーザ端末１００間で送受信する指示または通知を含んでいる。
【００３０】
ストレージ１２および２２は補助記憶装置である。ストレージ１２および２２は、フラッシュメモリまたはＨＤＤ（Ｈａｒｄ  Ｄｉｓｋ  Ｄｒｉｖｅ）等の記憶装置で構成される。ストレージ１２およびストレージ２２には、ゲームに関する各種データが格納される。
【００３１】
通信ＩＦ１３は、ユーザ端末１００における各種データの送受信を制御する。通信ＩＦ２３は、サーバ２００における各種データの送受信を制御する。通信ＩＦ１３および２３は例えば、無線ＬＡＮ（Ｌｏｃａｌ  Ａｒｅａ  Ｎｅｔｗｏｒｋ）を介する通信、有線ＬＡＮ、無線ＬＡＮ、または携帯電話回線網を介したインターネット通信、ならびに近距離無線通信等を用いた通信を制御する。
【００３２】
入出力ＩＦ１４は、ユーザ端末１００がデータの入力を受け付けるためのインターフェースであり、またユーザ端末１００がデータを出力するためのインターフェースである。入出力ＩＦ１４は、ＵＳＢ（Ｕｎｉｖｅｒｓａｌ  Ｓｅｒｉａｌ  Ｂｕｓ）等を介してデータの入出力を行ってもよい。入出力ＩＦ１４は、例えば、ユーザ端末１００の物理ボタン、カメラ、マイク、または、スピーカ等を含み得る。サーバ２００の入出力ＩＦ２４は、サーバ２００がデータの入力を受け付けるためのインターフェースであり、またサーバ２００がデータを出力するためのインターフェースである。入出力ＩＦ２４は、例えば、マウスまたはキーボード等の情報入力機器である入力部と、画像を表示出力する機器である表示部とを含み得る。
【００３３】
ユーザ端末１００のタッチスクリーン１５は、タッチ操作入力部１５１と表示部１５２とを組み合わせた電子部品である。タッチ操作入力部１５１は、例えばタッチセンシティブなデバイスであり、例えばタッチパッドによって構成される。表示部１５２は、例えば液晶ディスプレイ、または有機ＥＬ（Ｅｌｅｃｔｒｏ−Ｌｕｍｉｎｅｓｃｅｎｃｅ）ディスプレイ等によって構成される。
【００３４】
タッチ操作入力部１５１は、入力面に対しユーザの操作（主にタッチ操作、スライド操作、スワイプ操作、およびタップ操作等の物理的接触操作）が入力された位置を検知して、位置を示す情報を入力信号として送信する機能を備える。タッチ操作入力部１５１は、図示しないタッチセンシング部を備えていればよい。タッチセンシング部は、静電容量方式または抵抗膜方式等のどのような方式を採用したものであってもよい。
【００３５】
タッチ操作入力部１５１は、タッチパネルディスプレイのような表示部１５２と一体に構成されていてもよいし、タッチセンシティブデバイスのような表示部とは別体の装置として構成されていてもよい。本実施形態では、タッチ操作入力部１５１としてタッチパネルディスプレイ（タッチスクリーン１５）を想定する。タッチスクリーン１５は、表示部１５２とタッチ操作入力部１５１とを一体的な構成として含んでいる。
【００３６】
図示していないが、ユーザ端末１００は、該ユーザ端末１００の保持姿勢を特定するための１以上のセンサを備えていてもよい。このセンサは、例えば、加速度センサ、または、角速度センサ等であってもよい。ユーザ端末１００がセンサを備えている場合、プロセッサ１０は、センサの出力からユーザ端末１００の保持姿勢を特定して、保持姿勢に応じた処理を行うことも可能になる。例えば、プロセッサ１０は、ユーザ端末１００が縦向きに保持されているときには、縦長の画像を表示部１５２に表示させる縦画面表示としてもよい。一方、ユーザ端末１００が横向きに保持されているときには、横長の画像を表示部に表示させる横画面表示としてもよい。このように、プロセッサ１０は、ユーザ端末１００の保持姿勢に応じて縦画面表示と横画面表示とを切り替え可能であってもよい。
【００３７】
カメラ１７は、イメージセンサ等を含み、レンズから入射する入射光を電気信号に変換することで撮影画像を生成する。
【００３８】
測距センサ１８は、測定対象物までの距離を測定するセンサである。測距センサ１８は、例えば、パルス変換した光を発する光源と、光を受ける受光素子とを含む。測距センサ１８は、光源からの発光タイミングと、該光源から発せられた光が測定対象物にあたって反射されて生じる反射光の受光タイミングとにより、測定対象物までの距離を測定する。測距センサ１８は、指向性を有する光を発する光源を有することとしてもよい。
【００３９】
ここで、ユーザ端末１００が、カメラ１７と測距センサ１８とを用いて、ユーザ端末１００の近傍の物体１０１０を検出した検出結果を、ユーザの入力操作として受け付ける例をさらに説明する。カメラ１７および測距センサ１８は、例えば、ユーザ端末１００の筐体の側面に設けられてもよい。カメラ１７の近傍に測距センサ１８が設けられてもよい。カメラ１７としては、例えば赤外線カメラを用いることができる。この場合、赤外線を照射する照明装置および可視光を遮断するフィルタ等が、カメラ１７に設けられてもよい。これにより、屋外か屋内かにかかわらず、カメラ１７の撮影画像に基づく物体の検出精度をいっそう向上させることができる。
【００４０】
プロセッサ１０は、カメラ１７の撮影画像に対して、例えば以下の（１）〜（５）に示す処理のうち１つ以上の処理を行ってもよい。（１）プロセッサ１０は、カメラ１７の撮影画像に対し画像認識処理を行うことで、該撮影画像にユーザの手が含まれているか否かを特定する。プロセッサ１０は、上述の画像認識処理において採用する解析技術として、例えばパターンマッチング等の技術を用いてよい。（２）また、プロセッサ１０は、ユーザの手の形状から、ユーザのジェスチャを検出する。プロセッサ１０は、例えば、撮影画像から検出されるユーザの手の形状から、ユーザの指の本数（伸びている指の本数）を特定する。プロセッサ１０はさらに、特定した指の本数から、ユーザが行ったジェスチャを特定する。例えば、プロセッサ１０は、指の本数が５本である場合、ユーザがじゃんけんにおける「パー」のジェスチャを行ったと判定する。また、プロセッサ１０は、指の本数が０本である（指が検出されなかった）場合、ユーザがじゃんけんにおける「グー」のジェスチャを行ったと判定する。また、プロセッサ１０は、指の本数が２本である場合、ユーザがじゃんけんにおける「チョキ」のジェスチャを行ったと判定する。（３）プロセッサ１０は、カメラ１７の撮影画像に対し、画像認識処理を行うことにより、ユーザの指が人差し指のみ立てた状態であるか、ユーザの指がはじくような動きをしたかを検出する。（４）プロセッサ１０は、カメラ１７の撮影画像の画像認識結果、および、測距センサ１８の出力値等の少なくともいずれか１つに基づいて、ユーザ端末１００の近傍の物体１０１０（ユーザの手など）とユーザ端末１００との距離を検出する。例えば、プロセッサ１０は、カメラ１７の撮影画像から特定されるユーザの手の形状の大小により、ユーザの手がユーザ端末１００の近傍（例えば所定値未満の距離）にあるのか、遠く（例えば所定値以上の距離）にあるのかを検出する。なお、撮影画像が動画の場合、プロセッサ１０は、ユーザの手がユーザ端末１００に接近しているのか遠ざかっているのかを検出してもよい。（５）カメラ１７の撮影画像の画像認識結果等に基づいて、ユーザの手が検出されている状態で、ユーザ端末１００とユーザの手との距離が変化していることが判明した場合、プロセッサ１０は、ユーザが手をカメラ１７の撮影方向において振っていると認識する。カメラ１７の撮影範囲よりも指向性が強い測距センサ１８において、物体が検出されたりされなかったりする場合に、プロセッサ１０は、ユーザが手をカメラの撮影方向に直交する方向に振っていると認識する。
【００４１】
このように、プロセッサ１０は、カメラ１７の撮影画像に対する画像認識により、ユーザが手を握りこんでいるか否か（「グー」のジェスチャであるか、それ以外のジェスチャ（例えば「パー」）であるか）を検出する。また、プロセッサ１０は、ユーザの手の形状とともに、ユーザがこの手をどのように移動させているかを検出する。また、プロセッサ１０は、ユーザがこの手をユーザ端末１００に対して接近させているのか遠ざけているのかを検出する。このような操作は、例えば、マウスまたはタッチパネルなどのポインティングデバイスを用いた操作に対応させることができる。ユーザ端末１００は、例えば、ユーザの手の移動に応じて、タッチスクリーン１５においてポインタを移動させ、ユーザのジェスチャ「グー」を検出する。この場合、ユーザ端末１００は、ユーザが選択操作を継続中であると認識する。選択操作の継続とは、例えば、マウスがクリックされて押し込まれた状態が維持されること、または、タッチパネルに対してタッチダウン操作がなされた後タッチされた状態が維持されることに対応する。また、ユーザ端末１００は、ユーザのジェスチャ「グー」が検出されている状態で、さらにユーザが手を移動させると、このような一連のジェスチャを、スワイプ操作（またはドラッグ操作）に対応する操作として認識することもできる。また、ユーザ端末１００は、カメラ１７の撮影画像によるユーザの手の検出結果に基づいて、ユーザが指をはじくようなジェスチャを検出した場合に、当該ジェスチャを、マウスのクリックまたはタッチパネルへのタップ操作に対応する操作として認識してもよい。
【００４２】
＜ゲーム概要＞
ゲームシステム１は、一例として、ユーザのタッチ操作によって操作可能なオブジェクを、ユーザの操作による第１の動作中に所定時間以上継続するタッチ操作を実行することにより、これらの操作に特有の第２の動作を当該オブジェクトに実行させるゲームを実行するためのシステムである。
【００４３】
ゲームの種類は限定されず、その例には、テニス、卓球、ドッジボール、野球、サッカーおよびホッケーなどのスポーツを題材としたゲーム、パズルゲーム、クイズゲーム、ＲＰＧ、アドベンチャーゲーム、シューティングゲーム、シミュレーションゲーム、育成ゲーム、ならびに、アクションゲーム（格闘ゲーム）を含む。本実施形態では、ユーザが操作可能なオブジェクトを「操作キャラクタ」とも言う。
【００４４】
ゲームシステム１によるプレイ形態は、限定されず、例えば、単一のユーザによるシングルプレイゲームであってもよいし、複数のユーザによるマルチプレイゲームであってもよい。マルチプレイゲームは、例えば、複数のユーザが対戦する対戦ゲームであってもよいし、複数のユーザが協力する協力プレイゲームであってもよい。
【００４５】
本実施形態では、単一のユーザ端末１００において実行される格闘ゲーム（シングルプレイ型格闘ゲーム）が想定されている。この場合、シングルプレイ型格闘ゲームをユーザ端末１００において実行するために必要な情報のやりとりがユーザ端末１００とサーバ２００との間で行われる。
【００４６】
なお、マルチプレイ型ゲームとしての格闘ゲーム（マルチプレイ型格闘ゲーム）は、ユーザが操作するユーザ端末１００（クライアントのコンピュータ）と、１以上の他のユーザが操作する１以上の他のユーザ端末１００（他のクライアントのコンピュータ）との間で、該ゲームに係るデータの少なくとも一部を共有することにより、複数のユーザが１の格闘ゲームに参加して協力してプレイすることが可能な格闘ゲームである。
【００４７】
ゲームシステム１がマルチプレイ型格闘ゲームである場合、サーバ２００を介して通信する第１のユーザ端末１００、第２のユーザ端末１００、および、第３のユーザ端末１００・・・のそれぞれにおいて、共通する所定のゲーム環境が生成され、それぞれの表示部に表示される。また、格闘ゲームに係るデータとして、例えば、当該所定のゲーム環境に配置される操作オブジェクト以外の他のオブジェクトの種類および配置、クリア条件、各種ゲージ、プレイ結果などが、サーバ２００を介して、複数のユーザ端末１００間で共有される。サーバ２００は、各ユーザ端末１００から収集した情報、および、自装置において生成した情報を、１の格闘ゲームに協力して参加する各ユーザ端末１００に配布して共有させる。
【００４８】
＜ゲームシステム１の機能的構成＞
図２は、ゲームシステム１に含まれるサーバ２００およびユーザ端末１００の機能的構成を示すブロック図である。サーバ２００およびユーザ端末１００のそれぞれは、図示しない、一般的なコンピュータとして機能する場合に必要な機能的構成、および、ゲームにおける公知の機能を実現するために必要な機能的構成を含み得る。
【００４９】
ユーザ端末１００は、ユーザの入力操作を受け付ける入力装置としての機能と、ゲームの画像や音声を出力する出力装置としての機能を有する。ユーザ端末１００は、プロセッサ１０、メモリ１１、ストレージ１２、通信ＩＦ１３、および入出力ＩＦ１４等の協働によって、制御部１１０および記憶部１２０として機能する。
【００５０】
サーバ２００は、各ユーザ端末１００と通信して、ユーザ端末１００がゲームを進行させるのを支援する機能を有する。例えば、有価データの販売、サービスの提供などを実行する。ゲームがマルチプレイゲームである場合には、サーバ２００は、ゲームに参加する各ユーザ端末１００と通信して、ユーザ端末１００同士のやりとりを仲介する機能を有していてもよい。サーバ２００は、プロセッサ２０、メモリ２１、ストレージ２２、通信ＩＦ２３、および入出力ＩＦ２４等の協働によって、制御部２１０および記憶部２２０として機能する。
【００５１】
記憶部１２０および記憶部２２０は、ゲームプログラム１３１、ゲーム情報１３２およびユーザ情報１３３を格納する。ゲームプログラム１３１は、ユーザ端末１００およびサーバ２００で実行するゲームプログラムである。ゲーム情報１３２は、制御部１１０および制御部２１０がゲームプログラム１３１を実行する際に参照するデータである。ユーザ情報１３３は、ユーザのアカウントに関するデータである。記憶部２２０において、ゲーム情報１３２およびユーザ情報１３３は、ユーザ端末１００ごとに格納されている。
【００５２】
（サーバ２００の機能的構成）
制御部２１０は、記憶部２２０に格納されたゲームプログラム１３１を実行することにより、サーバ２００を統括的に制御する。例えば、制御部２１０は、ユーザ端末１００に各種データおよびプログラム等を送信する。制御部２１０は、ゲーム情報もしくはユーザ情報の一部または全部をユーザ端末１００から受信する。ゲームがマルチプレイゲームである場合には、制御部２１０は、ユーザ端末１００からマルチプレイの同期の要求を受信して、同期のためのデータをユーザ端末１００に送信してもよい。
【００５３】
制御部２１０は、ゲームプログラム１３１の記述に応じて適宜に機能する。制御部２１０は、実行するゲームの性質に応じて、ユーザ端末１００におけるゲームの進行を支援するために、図示しないその他の機能ブロックとしても機能することができる。
【００５４】
（ユーザ端末１００の機能的構成）
制御部１１０は、記憶部１２０に格納されたゲームプログラム１３１を実行することにより、ユーザ端末１００を統括的に制御する。例えば、制御部１１０は、ゲームプログラム１３１およびユーザの操作にしたがって、ゲームを進行させる。また、制御部１１０は、ゲームを進行させている間、必要に応じて、サーバ２００と通信して、情報の送受信を行う。
【００５５】
制御部１１０は、ゲームプログラム１３１の記述に応じて、タッチ操作受付部１１１、表示制御部１１２、ユーザインターフェース（以下、ＵＩ）制御部１１３、およびアニメーション生成部１１４として機能する。制御部１１０は、実行するゲームの性質に応じて、ゲームを進行させるために、図示しないその他の機能ブロックとしても機能することができる。
【００５６】
タッチ操作受付部１１１は、タッチ操作入力部１５１に対するユーザの入力操作を検知し受け付ける。タッチ操作受付部１１１は、タッチスクリーン１５およびその他の入出力ＩＦ１４を介したコンソールに対してユーザが及ぼした作用から、いかなる入力操作がなされたかを判別し、その結果を制御部１１０の各要素に出力する。
【００５７】
例えば、タッチ操作受付部１１１は、タッチ操作入力部１５１に対する入力操作を受け付けて、該入力操作の入力位置の座標を検出し、該入力操作の種類を特定する。タッチ操作受付部１１１は、入力操作の種類として、例えばタッチ操作、スライド操作、スワイプ操作、およびタップ操作等を特定する。また、タッチ操作受付部１１１は、連続して検知されていた入力が途切れると、タッチスクリーン１５から接触入力が解除されたことを検知する。
【００５８】
また、タッチ操作受付部１１１は、タッチ操作入力部１５１に対するユーザのタッチ操作の位置および継続時間を検出する。以下、タッチ操作入力部１５１に対してユーザがタッチ操作した位置を「タッチ位置」ともいう。タッチ操作の種類は、ユーザによるタッチ操作入力部１５１への接触の仕方によって分類可能な範囲で適宜に決められる。本実施形態では、ユーザによる一点での短時間の接触であるタップ、ある点から短時間で接触位置を滑らすフリック、ある点から接触位置を連続して移動させるフリック以外の操作であるドラッグ、および、一点での所定時間以上連続する接触であるロングタップ等を想定する。
【００５９】
ＵＩ制御部１１３は、ＵＩを構築するために表示部１５２に表示させるＵＩオブジェクトを制御する。ＵＩオブジェクトは、ユーザが、ゲームの進行上必要な入力をユーザ端末１００に対して行うためのツール、または、ゲームの進行中に出力される情報をユーザ端末１００から得るためのツールである。ＵＩオブジェクトは、これには限定されないが、例えば、アイコン、ボタン、リスト、メニュー画面、第３の動作のためのＵＩなどである。
【００６０】
アニメーション生成部１１４は、各種オブジェクトの制御態様に基づいて、各種オブジェクトのモーションを示すアニメーションを生成する。例えば、抽選が実行されている様子を表現したアニメーション等を生成してもよい。
【００６１】
表示制御部１１２は、タッチスクリーン１５の表示部１５２に対して、上述の各要素によって実行された処理結果が反映されたゲーム画面を出力する。例えば、表示制御部１１２は、ユーザが操作可能な操作キャラクタを表示部１５２に表示させる。また、表示制御部１１２は、アニメーション生成部１１４によって生成されたアニメーションを含むゲーム画面を表示部１５２に表示してもよい。また、表示制御部１１２は、上述のＵＩオブジェクトを、該ゲーム画面に重畳して描画してもよい。
【００６２】
ゲーム実行部１１５は、ユーザの操作に基づく操作キャラクタの動作を、ゲーム空間に存在する操作キャラクタに実行させることにより、ゲームを進行させる。例えば、本実施形態のゲームは、操作キャラクタが敵キャラクタと戦闘することにより進行する。ゲーム実行部１１５は、操作キャラクタに実行させる動作の内容を、タッチ操作受付部１１１が受け付けた操作に基づいて決定する。動作の種類としては、例えば、敵キャラクタに対して作用を与える動作、操作キャラクタ自身の移動する動作があるが、これらに限られない。また、敵キャラクタに対して作用を与える動作としては、敵キャラクタに対する攻撃動作、敵キャラクタの状態を変化させる動作等があるが、これらに限られない。敵キャラクタに対する攻撃としては、敵キャラクタを所定距離ふきとばす技、よろけさせて所定期間行動不能にさせる技等があるが、これに限られない。また、変化させる敵キャラクタの状態としては、例えば、攻撃力、防御力、命中率、移動速度等が挙げられるが、これらに限られない。本ゲームでは、ユーザは操作キャラクタに攻撃動作等を実行させて、敵キャラクタの体力を減らし、敵キャラクタの体力が無くなると戦闘に勝利するものとする。
【００６３】
ゲーム実行部１１５は、タッチ操作受付部１１１が受け付けたタッチ操作に基づいて操作キャラクタに様々な動作を行わせる。また、ゲーム実行部１１５は決定した動作をアニメーション生成部１１４に通知する。
【００６４】
なお、図２に示すサーバ２００およびユーザ端末１００の機能は一例にすぎない。サーバ２００は、ユーザ端末１００が備える機能の少なくとも一部を備えていてもよい。また、ユーザ端末１００は、サーバ２００が備える機能の少なくとも一部を備えていてもよい。さらに、ユーザ端末１００およびサーバ２００以外の他の装置をゲームシステム１の構成要素とし、該他の装置にゲームシステム１における処理の一部を実行させてもよい。すなわち、本実施形態においてゲームプログラムを実行するコンピュータは、ユーザ端末１００、サーバ２００、および他の装置の何れであってもよいし、これらの複数の装置の組み合わせにより実現されてもよい。
【００６５】
［チャージ攻撃の処理例１］
本実施形態では、操作キャラクタが第１の動作を行っている間に、タッチ操作を第１の時間にわたって継続させている操作を受け付けることにより、第１の動作に続いて第２の動作を操作キャラクタに行わせる。本実施形態では、第１の動作も第２の動作も攻撃動作である形態について説明する。また、本実施形態では、第１の動作を実行させるための操作（以下、「第１の操作」ともいう。）は適宜設定可能であるが、例えば本実施形態ではタップ操作とし、タップ操作によって操作キャラクタが実行する攻撃動作を「タップ攻撃」ともいう。また、本実施形態では、第２動作として実行される攻撃動作を「チャージ攻撃」ともいう。タッチ操作を所定時間以上継続する操作を「長押し操作」ともいう。つまり、本実施形態では、操作キャラクタがタップ攻撃を行っている間に、タッチ操作受付部１１１が第１の時間にわたって長押し操作を受け付けることにより、操作キャラクタがチャージ攻撃を行う形態について説明する。
【００６６】
本ゲームにおけるチャージ攻撃の処理例について図３を用いて説明する。図３は、ユーザ端末１００が実行するチャージ攻撃に関する処理の流れを示すフローチャートである。
【００６７】
ステップＳ３０１において、タッチ操作受付部１１１は、ユーザによる、タップ操作（第１の操作）の入力を受け付ける。ステップＳ３０２において、ゲーム実行部１１５は、操作キャラクタに第１の操作に基づくタップ攻撃（第１の動作）を実行させる。本ゲームでは、第２の動作の前の第１の動作は、１回の攻撃動作であってもよく、複数回連続する攻撃動作の全体であってもよく、連続する複数回の攻撃動作のうちの一部の攻撃動作（例えば最後の１回の攻撃動作）であってもよい。本例では、以下、特に他の例を示さない限り、第１の動作は１回のタップ攻撃である場合について説明する。
【００６８】
例えば、タップ攻撃を行っている間に、チャージ攻撃を実行するためのタッチ操作の継続時間である第１の時間より短い時間にわたって継続させるタッチ操作を受け付けることにより、タップ攻撃に続いて次のタップ攻撃を操作キャラクタに行わせてもよい。このような、タップ攻撃に続いて行われるタップ攻撃を判定するためのタップ操作の受付期間は、適宜設定され得る。例えば、操作キャラクタが各動作を実行する様子を描画するために要するフレーム数で規定されているものとする。また、例えば、タップ攻撃が４０フレーム（１秒６０フレームとする）で構成されるものとする。タップ攻撃の攻撃判定の発生は、タップ攻撃の開始から１５フレーム後などと設定し得る。連続させてタップ攻撃を操作キャラクタに実行させるためのタッチ操作の判定の発生時期は、前回タップ攻撃の動作開始から１０フレーム以降などと設定し得る。後述のチャージ攻撃に必要なタッチ操作に必要な、タッチ操作の継続時間を１１フレームであるとして、１０フレーム以下継続するタッチ操作をタッチ操作受付部１１１が受け付けた場合に、ゲーム実行部１１５は、当該タッチ操作をタップ操作として認識して、前回のタップ攻撃に続いて、次のタップ攻撃を操作キャラクタに実行させてもよい。
【００６９】
第１の動作は連続した攻撃動作のコンボ全体であってもよい。ここで、図６および図７を用いて、第１の動作が操作キャラクタによる攻撃動作のコンボである場合の操作キャラクタの動作の一例について説明する。図６は、本ゲームにおける、操作キャラクタを含む場面の一例を模式的に示す図である。画面５００には、操作キャラクタ５０１および門５０２が表示されている。操作キャラクタ５０１は斧を武器として用いて攻撃動作を行うキャラクタである。門５０２は操作キャラクタ５０１の攻撃動作の対象のオブジェクトである。門５０２は、所定量のダメージを受けることによって破壊される。図７は、操作キャラクタ５０１の攻撃動作の一例を模式的に示す図である。図７に示すように、タッチ操作受付部１１１がタップ操作を受け付けると、操作キャラクタ５０１は斧を振ることによるタップ攻撃を実行する。操作キャラクタ５０１はユーザによる第１のタップ操作によって、図７（Ａ）に示すように右から左へ斧を振る攻撃を実行し、第２のタップ操作によって、図７（Ｂ）に示すように左から右へ斧を振る攻撃を実行する。そして、第３のタップ操作によって、図７（Ｃ）に示すように上に振りかぶった斧を振り下ろす攻撃を実行する。図７（Ｃ）に示す攻撃態様の実行には、第３のタップ操作までの操作を図７（Ｂ）までの動作中に規定された時間内に実行することが必要である。以上により、３つの攻撃動作をコンボさせることができる。
【００７０】
ステップＳ３０３において、タッチ操作受付部１１１は、第１の動作中（タップ攻撃の動作）中に、ユーザによるタッチ操作を受け付けたか否かを判定する。
【００７１】
ステップＳ３０３においてタッチ操作受付部１１１がタップ攻撃中にタッチ操作を受け付けている場合には、ステップＳ３０４において、タッチ操作受付部１１１は、受け付けたタッチ操作が継続しているか否かを判定する。
【００７２】
ステップＳ３０４において、長押し操作が継続していることをタッチ操作受付部１１１が受け付けている場合には、ステップＳ３０５において、長押し操作の継続時間がｔ１秒以上か否かを判定する。ｔ１秒は、その後のチャージ攻撃を実行するか否かの判定基準となる時間であり、本発明における第１の時間の一態様である。
【００７３】
ステップＳ３０５において、長押し操作の継続時間がｔ１秒以上であることをタッチ操作受付部１１１が検出した場合には、ステップＳ３０６において、ゲーム実行部１１５は操作キャラクタに第１の動作としてのタップ攻撃に引き続いて、第２の動作としてチャージ攻撃を実行させる。また、上述のように、ステップＳ３０２における第１の動作はコンボを構成するタップ攻撃でもよいので、当該チャージ攻撃は、当該タップ攻撃に引き続いて行われることで、コンボを継続させる攻撃となってもよい。複数のタップ攻撃の組み合わせに、チャージ攻撃が組み合わされて実行される。したがって、操作キャラクタの動作がさらに多様化する。
【００７４】
ここでは、長押し操作がｔ１秒になったことをタッチ操作受付部１１１が検出した時点で、ゲーム実行部１１５が操作キャラクタにチャージ攻撃を実行させる形態について説明した。別の形態として、長押し操作がｔ１秒以上になり、かつ、タッチ操作受付部１１１が長押し操作が解除されたことを検出することで、ゲーム実行部１１５が操作キャラクタにチャージ攻撃を実行させてもよい。
【００７５】
また、別の形態として、タップ攻撃に続いてタップ攻撃を連続して、操作キャラクタが行っている間において、後段のタップ攻撃を操作キャラクタが行っている間に、タッチ操作をｔ１秒にわたって継続させている操作を受け付けることにより、後段のタップ攻撃に続いてチャージ攻撃を操作キャラクタに行わせてもよい。このような形態により、より多様な、および／または、より多くの作用を対象オブジェクトへ与えることが可能になる。つまり、チャージ攻撃をより有効に作用させ得る。
【００７６】
ステップＳ３０３〜ステップＳ３０５において受け付ける、長押し操作の受付期間、および、長押し操作の継続時間（ｔ１秒）は適宜に設定すればよい。例えば、これらの期間、判定時期は、タップ攻撃の動作を描画するために必要なフレーム数によって適宜に設定され得る。例えば、操作キャラクタの１回のタップ攻撃の動作のフレーム数が全体として４０フレームとする。チャージ攻撃のための長押し操作の受付期間は、タップ攻撃の動作の開始１０フレーム（あるいは２０フレームであってもよい）以降（６０フレーム以内）と設定され得る。また、例えば、長押し操作であると判定する基準となるタッチ操作の継続時間（ｔ１秒）は、受付期間に始まったタッチ操作が１１フレーム継続していることが検出された時点などと設定され得る。また、攻撃動作が連続してなるコンボ全体を第１の動作とする場合には、チャージ攻撃を実行するため長押し操作の受付開始を、当該第１の動作中のいずれの時点に設定することも可能である。例えば、直前のタップ攻撃より前のタップ攻撃の動作中に長押し操作の開始を受け付けてもよい。例えば、ユーザは、1回目のタップ操作、２回目のタップ操作、長押し操作の順で操作し、１回目と２回目のタップ操作によって攻撃動作がコンボになる場合、当該長押し操作の開始が１回目のタップ操作に基づくタップ攻撃の動作中であってもよい。
【００７７】
また、第１の時間の長さは適宜設定可能である。例えば、第１の動作が開始してから終了までの間に完了可能な時間の範囲としてもよい。また、本実施形態において、第１の動作の終了は、表示部１５２に表示されている操作キャラクタが第１の動作を実際に終了させたときであってよいが、第１の動作に対応付けて設定されている時間であれば、表示されている第１の動作の実際の終了よりも早くても遅くてもよい。
【００７８】
ここで、図８を用いて、第２の動作が操作キャラクタによるチャージ攻撃である場合の操作キャラクタの動作の一例について説明する。図８は、チャージ攻撃を実行する操作キャラクタ５０１の表示の一例を模式的に示している。図８に示される、チャージ攻撃を実行する操作キャラクタ５０１は、チャージ態様とその後の発動態様との二つの態様で表示される。
【００７９】
チャージ態様は、ステップＳ３０３からステップＳ３０４の処理が実行されているタイミングで、表示制御部１１２が表示部１５２に表示させる操作キャラクタの態様である。つまり、当該タイミングは、タッチ操作受付部１１１が受け付けたタッチ操作が継続しているときであって、当該タッチ操作の継続時間がｔ１秒未満であるときである。チャージ態様では、操作キャラクタ５０１は、図８（Ａ）に示すように、溜めているエネルギーが外方へ迸ることを示すオーラ７０１を有している。
【００８０】
発動態様は、ステップＳ３０６の処理が実行されたタイミングで、表示制御部１１２が表示部１５２に表示させる操作キャラクタの態様である。つまり、当該タイミングはタッチ操作受付部１１１が受け付けた長押し操作の継続時間がｔ１秒になったときである。発動態様では、操作キャラクタ５０１は、図８（Ｂ）に示すように、斧を振って、あたかも溜めたエネルギーを飛ばすかのような、衝撃波７０２を飛ばす動作を行う。例えば、チャージ攻撃は、タップ攻撃よりもより多くの対象オブジェクトの体力を減らすことが可能であったり、より遠くの対象オブジェクトに作用を及ぼしたりすることができてもよい。
【００８１】
なお、ステップＳ３０３において、タッチ操作受付部１１１が第１の動作中にタッチ操作を受け付けない場合、および、ステップＳ３０４においてタッチ操作受付部１１１がタッチ操作の継続を受け付けない場合には、ユーザ端末１００は、チャージ攻撃に関する処理を終了する。また、ステップＳ３０５において、タッチ操作受付部１１１が受け付けるタッチ操作の継続時間がｔ１秒に満たない場合には、ユーザ端末１００は、例えばステップをステップＳ３０４に戻し、タッチ操作受付部１１１は、受け付けたタッチ操作が継続しているか否かを判定する。
【００８２】
このように、ユーザ端末１００は、操作キャラクタが第１の動作を行っている間に、タッチ操作をｔ１秒以上にわたって継続させている操作を受け付けることにより、第１の動作に続いてチャージ攻撃を操作キャラクタに行わせる。このように、本実施形態によれば、ユーザによる簡単な操作によって操作キャラクタの動作がより多様化され、第１の動作の効果とチャージ攻撃の効果との両方の効果を伴う効果が得られる。
【００８３】
ここまで第１の操作がタップ操作である場合について説明したが、第１の操作はフリック操作であってもよい。例えば、ユーザ端末１００は、第１の動作を、タップ操作およびフリック操作のいずれかを含むタッチ操作の受付によって実行させてもよい。例えば、２回のタッチ操作がフリックおよびタップの順の操作であることによって、このタッチ操作に応じて、操作キャラクタに回避動作、攻撃動作の順に実行させてもよい。このとき、当該攻撃動作を第１の動作として、チャージ攻撃を行うための長押し操作を当該攻撃動作中にタッチ操作受付部１１１が受け付けてもよく、回避動作および攻撃動作のコンボを第１の動作として、チャージ攻撃を行うための長押し操作を、当該回避動作中などのコンボの動作中にタッチ操作受付部１１１が受け付けてもよい。このような形態であれば、例えば、操作キャラクタに回避動作、攻撃動作に引き続いてチャージ攻撃による攻撃動作を実行させることができる。よって、操作キャラクタの動作がさらに多様化する。また、このように複数の種類の第１の動作を実行させる場合では、ユーザは、異なる複数の第１の動作またはそれに応じた一連の動作の後にチャージ攻撃を実行させることが可能である。よって、第１の動作における多様化により、動作がより多様化する。
【００８４】
また、本実施形態では、第２の動作を行わせるための第１の時間にわたって継続する操作の受付期間は第１の動作の種類に応じて異なってもよい。例えば、第１の動作が短ければ、受付期間を当該動作が行われている期間全体とし、第１の動作が長ければ受付期間を動作が行われている期間のうちの後半の一部の期間などとしてもよい。例えば、回避動作のフレーム数が全体として３０フレームである場合に、長押し操作の受付可能期間を回避動作が行われている期間全体としてもよい。そして、攻撃動作のフレーム数が全体として４０フレームである場合に、当該受付可能期間を攻撃動作の開始から１０フレーム以降としてもよい。また、長押し操作の受付期間を第１の動作が行われている間の全ての期間とする場合には、第１の動作の種類によって、当該動作が行われている時間が異なるので、受付期間長さが第１の動作の種類によって異なることとなる。このように、動作の時間が長い第１の動作であれば、当該期間を長くしたり、動作の時間が長い第１の動作であれば当該期間を短くしたりできるので、第１の動作自体の長さに応じてチャージ攻撃のためのタッチ操作を受け付ける期間を適正化することにより、チャージ攻撃のための操作性をより一層適正化することが可能となる。チャージ攻撃を行うための長押し操作に必要なタッチ操作の長さも、第１の動作の種類に応じて異ならせてもよく、同じでもよい。
【００８５】
なお、所定の期間内にｔ１秒未満継続したタッチ操作を受け付けた場合には、ユーザ端末１００は、操作キャラクタにチャージ攻撃を行わせず、対応する動作、例えば第１の動作、を操作キャラクタに実行させてもよい。
【００８６】
また、ゲーム実行部１１５は、チャージ攻撃の実行の前に、チャージ攻撃の対象となる対象オブジェクトを特定してもよい。対象オブジェクトを特定した場合には、ゲーム実行部１１５は、操作キャラクタに対象オブジェクトに対してチャージ攻撃を実行させる。対象オブジェクトを特定するための処理をしない場合、または、対象オブジェクトを特定するための処理を行っても特定できなかった場合には、ゲーム実行部１１５は、操作キャラクタに、当該操作キャラクタが向いている方向に向けて、チャージ攻撃を実行させる。このような対象オブジェクトの特定は、チャージ攻撃の成功率を高める観点から有効である。
【００８７】
また、本ゲームでは、操作キャラクタに、第２の動作の後にさらに第１の動作を連続して行なわせてもよい。さらに、当該第１の動作中に第１の時間にわたって継続する操作を受け付けることで、操作キャラクタにさらに第２の動作を行わせてもよい。たとえば、ゲーム実行部１１５が操作キャラクタにチャージ攻撃を実行させている間に、タッチ操作受付部１１１がタップ操作を受け付けることで、ゲーム実行部１１５は、操作キャラクタに当該チャージ攻撃に連続させてタップ攻撃を実行させてもよい。そして、当該タップ攻撃中にｔ１秒にわたって継続する長押し操作をタッチ操作受付部１１１が受け付けることで、ゲーム実行部１１５は、操作キャラクタにチャージ攻撃を実行させてもよい。
【００８８】
［スキル行動の処理例］
本実施形態では、第１の動作及び第２の動作とは別の第３の動作を実行させることも可能である。例えば、タッチ操作受付部１１１が、第２の時間にわたって継続する長押し操作を受け付けることにより、ＵＩ制御部１１３はユーザインターフェースを表示部１５２に表示させ、当該タッチ操作が、当該ユーザインターフェースに対応する位置で離れた場合に、操作キャラクタに第３の動作を行わせてもよい。第３の動作は、例えば、当該ユーザインターフェースに関連付けられた動作である。本実施形態では、操作キャラクタに関連付けられたスキルを発動する動作である場合について説明する。以下、第３の動作を「スキル行動」といい、スキル行動のためのユーザインターフェースを「スキルＵＩ」という。スキルＵＩは、ユーザによる第３の動作の実行の指示を受け付けるためのものである。以下、本ゲームにおけるスキル行動に関する処理例について図４を用いて説明する。図４は、ユーザ端末１００が、ゲームプログラム１３１に基づいて実行する、スキル行動に関する処理の流れを示すフローチャートである。
【００８９】
スキル行動の種類は特に限定されず、様々な行動であり得る。例えば、スキル行動は、各操作キャラクタに対応付けられた行動であってよい。また、例えば、スキル行動は、対象のオブジェクトに作用を及ぼす行動であってもよい。作用としては、対象オブジェクトの体力を減らす攻撃動作、操作キャラクタ自身、味方キャラクタ等の異常状態および／または体力を回復動作、敵キャラクタ等の対象のオブジェクトの状態を変化させる動作であってもよい。スキル行動が対象のオブジェクトに作用を及ぼす場合、その対象が特定されていてもよいし、特定されずに操作キャラクタの向きに、作用をおぼす領域が設定されたオブジェクトを移動させるなどして、当該オブジェクトの領域内に入った対象のオブジェクトに作用を及ぼすものであってもよい。
【００９０】
まず、ステップＳ４０１において、タッチ操作受付部１１１は、ユーザによるタッチ操作入力部１５１へのタッチ操作を受け付ける。次いで、タッチ操作受付部１１１は、ステップＳ４０２において、ステップＳ４０１にて受け付けたタッチ操作が継続しているか否かを判定する。
【００９１】
ステップＳ４０２において、受け付けたタッチ操作が継続している場合には、ステップＳ４０３において、タッチ操作受付部１１１は継続している長押し操作の継続時間がｔ２秒以上であるか否かを判定する。ｔ２は、スキルＵＩを表示するか否かの判定基準となる時間であり、本発明における第２の時間の一態様である。本例のタッチ操作の時間の判定は、ｔ２秒後に行ってもよい。
【００９２】
ステップＳ４０３において、長押し操作の継続時間がｔ２秒以上であることをタッチ操作受付部１１１が検出した場合には、ステップＳ４０４において、表示制御部１１２はスキルＵＩを表示部１５２に表示させる。このとき、操作キャラクタはスキル行動の実行が可能な状態になったともいえる。
【００９３】
ここで、表示部１５２に表示されるスキルＵＩの一例について図９を用いて説明する。図９は、スキル行動前に表示制御部１１２が表示部１５２に表示させるスキルＵＩの一例を模式的に示す図である。図９に示すように、本実施形態におけるスキルＵＩは、弾性オブジェクト８０１、第１スキル部８０２、第２スキル部８０３およびスキル表示部８０４、８０５を含む。表示制御部１１２はユーザのタッチ位置を中心として、弾性オブジェクト８０１を表示部１５２に表示させる。
【００９４】
弾性オブジェクト８０１は、ユーザのタッチ操作が移動すると、最初のタッチ位置を始点としてタッチ方向に引き伸ばされるように変形する形態であってもよい。この形態の場合、図９に示す状態において、ステップＳ４０３におけるユーザのタッチ位置は弾性オブジェクト８０１の領域内である。なお、本ゲームでは、ドラッグ操作が継続しているときに、ドラッグ操作の起点と、ユーザが現にタッチしている位置とにより定まる方向に基づき、操作キャラクタを移動させる。これにより、ユーザはタッチ操作の方向を容易に視認できる。最初のタッチ位置は、ユーザのタッチ操作が途切れると無効となり、ユーザがタッチ操作を再度実行した場合に、再度のタッチ操作に応じて新たに決定される。なお、弾性オブジェクト８０１は、スキルＵＩの表示とともに表示されることに限定されず、ユーザがタッチ操作する場合に常に表示されていてよい。
【００９５】
第１スキル部８０２は、弾性オブジェクト８０１から外方の一方向へ延出する部分であり、スキル表示部８０４を内包している。第１スキル部８０２は、弾性オブジェクト８０１に対するスキル表示部８０４が位置する方角をユーザに対して明示している。スキル表示部８０４は、スキルの種類を表示している。スキル表示部８０４は、対応するスキル行動を表示している。
【００９６】
第２スキル部８０３は、弾性オブジェクト８０１から外方の他の方向へ延出する部分であり、スキル表示部８０５を内包している。スキル表示部８０５は、スキルの種類を表示している。例えば、第２スキルは、操作キャラクタの攻撃力等のパラメータの向上であってもよい。
【００９７】
次に、ステップＳ４０５において、タッチ操作受付部１１１はタッチ位置を検出する。次いで、ステップＳ４０６において、タッチ操作受付部１１１は、継続しているタッチ操作が解除されたか否かを判定する。
【００９８】
ステップＳ４０６において、タッチ操作受付部１１１がタッチ操作の解除を受け付けた場合には、ステップＳ４０７において、タッチ操作受付部１１１は、タッチ操作の解除位置がスキルＵＩの領域内であるか否かを判定する。
【００９９】
ステップＳ４０７において、当該解除位置がスキルＵＩの領域内であることをタッチ操作受付部１１１が検出した場合には、ステップＳ４０８において、ゲーム実行部１１５は操作キャラクタにスキル行動を実行させる。図９に示す画面例を用いて説明すれば、ユーザのタッチ操作が、ユーザによるフリック操作またはドラッグ操作によってスキル表示部８０４、８０５で離れたことをタッチ操作受付部１１１が検出することにより、操作キャラクタ５０１は、スキル表示部８０４、８０５に応じたスキル行動を実行する。
【０１００】
よって、ユーザは、操作キャラクタ５０１が向いている方向とタッチ操作の方向とを両方ともを容易に視認することが可能である。したがって、ユーザは、操作キャラクタ５０１が向いている方向を参考にしながら、所望の方向にタッチ操作を実行しやすい。このように、弾性オブジェクト８０１は、良好な操作性をもたらしており、ユーザの操作の正確性が高められることにより、ゲームの興趣性をより高めている。
【０１０１】
ここで、図１０を用いてスキル行動が攻撃動作（以下、単に「スキル攻撃」ということもある）である場合の一例について説明する。図１０は、スキル攻撃を実行する操作キャラクタ５０１の表示の一例を模式的に示している。操作キャラクタ５０１は、スキルチャージ態様およびスキル発動態様の二つの態様で表示される。
【０１０２】
スキルチャージ態様は、ユーザによるタッチ操作が継続し、かつスキルＵＩが表示されているときに、表示制御部１１２が表示部１５２に表示させる操作キャラクタの態様である。また、ゲーム実行部１１５は、スキルチャージ態様である操作キャラクタ５０１の移動を制限する処理を行ってもよい。かかる制限としては、例えば、移動速度を遅くしたり、移動をできなくしたりするなどが挙げられる。
【０１０３】
スキル発動態様は、ゲーム実行部１１５が、スキル攻撃を操作キャラクタに行わせるときに、表示制御部１１２が表示部１５２に表示させる操作キャラクタの態様である。スキル攻撃態様は、例えば、ユーザによるタッチ操作が継続し、タッチ操作入力部１５１のうちスキル表示部８０４が表示されている位置で、タッチが離れることによって表示部１５２に表示される。
【０１０４】
スキル発動態様では、表示制御部１１２は、操作キャラクタ５０１を、図１０（Ｂ）に示す態様に引き続き図１０（ｃ）に示す態様で、表示部１５２に表示させる。図１０（Ｂ）に示すように、まず、操作キャラクタ５０１が、チャージ態様で溜めたエネルギーとともに、操作キャラクタ５０１の周辺環境から電気エネルギー９０２を振りかぶった斧に集中させた態様となり、自動的に引き続いて、図１０（Ｃ）に示すように、電気エネルギー９０２を集中させた斧を振り下ろすことにより、直接攻撃とともに、電気エネルギー９０２を伴う衝撃波９０３を飛ばす態様となる。スキル行動による攻撃動作は、チャージ攻撃よりも強力であってもよく、攻撃の作用を与えることが可能な範囲もチャージ攻撃より広くてもよい。
【０１０５】
このように、ユーザ端末１００は、ｔ２秒まで継続した長押し操作が、スキルＵＩに対応する位置で離れた場合に、操作キャラクタにスキル行動を行わせる（ステップＳ４０８）。
【０１０６】
ステップＳ４０７において、当該解除位置がスキルＵＩの領域外であることをタッチ操作受付部１１１が検出した場合には、ゲーム実行部１１５は、操作キャラクタのスキル行動可能な状態を解除し、操作キャラクタの状態を通常の状態に戻す。
【０１０７】
ステップＳ４０８において操作キャラクタがスキル行動を実行すると、スキル行動に関する一連の処理が終了する。また、ステップＳ４０２においてタッチ操作が継続していることを検出しなかった場合にも、スキル行動に関する一連の処理が終了する。
【０１０８】
なお、ステップＳ４０３においてタッチ操作の継続時間がｔ２秒に満たない場合には、ステップＳ４０２に戻り、タッチ操作受付部１１１はタッチ操作の継続の有無を判定する。また、ステップＳ４０６においてタッチ操作が解除されていない場合では、ステップＳ４０５に戻り、タッチ操作受付部１１１は継続しているタッチ位置を検出する。なお、タッチ操作がｔ２秒以下で解除された場合は、ゲーム実行部１１５は操作キャラクタに何もさせなくてもよいし、タッチ操作受付部１１１がタップ操作として受け付けて、当該タップ操作に対応する動作をさせてもよい。
【０１０９】
［第１の動作中にｔ２秒以上のタッチ操作を受け付けた場合の処理例］
次に、第１の動作中にｔ２秒以上のタッチ操作を受け付けた場合の処理例について説明する。ユーザ端末１００は、上述した図３に示す処理と、図４に示す処理とをそれぞれ独立して実行し得る。ここでは、ｔ２≧ｔ１である場合について説明する。
【０１１０】
タッチ操作受付部１１１が、第１の動作中にタッチ操作の受付を開始して、当該タッチ操作をｔ１秒継続して受け付けた場合、ユーザ端末１００は図３に示した処理を実行する。つまり、この場合、ゲーム実行部１１５は操作キャラクタにチャージ攻撃を実行させる。
【０１１１】
一方、タッチ操作受付部１１１が、当該操作キャラクタによる第１の動作中に開始されたタッチ操作をｔ２秒継続して検出することによって、ユーザ端末１００は図４に示す処理を実行する。つまり、表示制御部１１２はスキルＵＩを表示部１５２に表示させる。このような処理によれば、第１の動作としての攻撃動作から、引き続く第２の動作としてのチャージ攻撃、さらには、その後のスキルＵＩの表示とそれを用いたスキル行動まで、操作キャラクタの攻撃動作を派生させることが可能となる。
【０１１２】
また、第２の時間まで継続したタッチ操作が、スキルＵＩ以外の領域に対応する位置で離れた場合に、操作キャラクタに第２の動作を行わせてもよい。例えば、ｔ２秒継続したタッチ操作の解除がスキルＵＩ以外の位置で実行された場合には、ゲーム実行部１１５は操作キャラクタに、チャージ攻撃を実行させてもよい。つまり、ステップＳ４０１においてタッチ操作受付部１１１が受け付けたタッチ操作が第１の動作を行っている間に開始されたものであった場合であって、解除領域がスキルＵＩの領域外である場合（ステップ４０７でＮＯの場合）には、ゲーム実行部１１５は操作キャラクタにさらにチャージ攻撃を実行させてもよい。コンボ攻撃、チャージ攻撃の後に、さらにチャージ攻撃を操作キャラクタに実行させることが可能となり、操作キャラクタの動作の選択肢をさらに増やすことができる。
【０１１３】
［制約を伴うチャージ攻撃の処理例］
タップ攻撃に続くチャージ攻撃（第１の動作に引き続く第２の動作）には、さらなる制約を課してもよい。さらなる制約としては、例えば、操作キャラクタの動作に応じて増加するパラメータが所定値以上とすることが挙げられる。チャージ攻撃を操作キャラクタに行わせるためには、パラメータを所定に達するようにプレイをする必要があるので、ユーザに求められる戦略性が増す。
【０１１４】
以下に、ユーザの操作に応じて増加するパラメータを用いる処理の一例について図５を用いて説明する。図５は、パラメータによる判定を含む処理と、第１の動作の種類に応じた処理とを含む、チャージ攻撃に関する処理の一例を示す。図５（Ａ）は、パラメータを更新するフローの一例を示している。
【０１１５】
ステップＳ５０１においてタッチ操作受付部１１１が操作入力を検出すると、ステップＳ５０２において、ゲーム実行部１１５は、ユーザの操作に応じて操作キャラクタに動作を行わせる。ステップＳ５０３において、ゲーム実行部１１５は、当該動作がパラメータの更新対象の動作であるか否かを判定する。ステップＳ５０３においてＹＥＳの場合、ステップＳ５０４において、ゲーム実行部１１５は当該動作に応じてパラメータを更新する。
【０１１６】
パラメータを増加させるための操作キャラクタの動作は限定されない。かかる動作としては、例えば、攻撃動作、移動動作、回避動作などであってもよい。パラメータを増加させる操作キャラクタの攻撃動作は、攻撃対象のオブジェクトの体力の削減に成功した攻撃動作のみであってもよく、攻撃対象のオブジェクトに攻撃が当たらない攻撃を含んでもよい。例えば、ゲーム実行部１１５は、ステップＳ５０２で行った動作が攻撃動作であればパラメータを或る値だけ増加させて、当該攻撃動作が敵キャラクタなどの攻撃によって作用（例えば、体力を減らす）を与え得る対象のオブジェクトに対して、作用を与えることに成功した場合、パラメータを増加させる値を加算してもよい。
【０１１７】
また、ゲーム実行部１１５は、当該パラメータを、時間の経過、ユーザの特定の操作等に応じて、減少させてもよい。
【０１１８】
図５（Ｂ）は、パラメータによる判定を含むチャージ攻撃の判定を実行するフローの一例を示している。このフローは、ステップＳ３０５とＳ３０６との間にステップＳ３０５５を含む以外は、図３におけるステップＳ３０３〜ステップＳ３０６のフローと同じである。ステップＳ３０３〜ステップＳ３０５についての説明は繰り返さない。ゲーム実行部１１５は、ステップＳ３０５５において、当該パラメータが所定値以上であるか否かを判定する。ステップＳ３０５５において、当該パラメータが所定値以上である場合には、ステップＳ３０６において、ゲーム実行部１１５は操作キャラクタにチャージ攻撃を実行させる。
【０１１９】
本例において、表示制御部１１２は、パラメータを表示部１５２にゲージ５０３で表示してもよい。この場合、パラメータが所定値に達したことは、ゲージ５０３が満たされることによって表示され得る。また、パラメータが所定値に達していないことは、ゲージ５０３が完全には満たされていないことによって表示され得る。ゲージ５０３による表示は、増加するパラメータの視認性を高める観点から好ましい。
【０１２０】
このように、ユーザ端末１００は、パラメータが所定値に達した場合に、操作キャラクタが第１の動作を行っている間に、継続するタッチ操作の受け付けを開始させる。当該タッチ操作がｔ１秒以上継続することにより、チャージ攻撃を操作キャラクタに行わせる。このような制御によれば、当該チャージ攻撃は、さらなる条件の達成によって実行される。よって、チャージ攻撃に対する制約が適度に高められ、またゲームの戦略性が高められる。
【０１２１】
ステップＳ３０５５において当該パラメータが所定値未満である場合には、ゲーム実行部１１５は、処理を終了する。前述したように、ｔ２がｔ１以上である場合には、ゲーム実行部１１５は、図４のフローにおけるステップＳ４０２に進んで、受け付けているタッチ操作が継続しているか否かを判定してよい。この後、ステップＳ４０４まで進むことで、パラメータが所定値未満である場合には、操作キャラクタが第１の動作を行っている間に開始したｔ２秒以上継続するタッチ操作を検出することによって、表示制御部１１２はスキルＵＩを表示部１５２に表示させる。
【０１２２】
本例のように、表示制御部１１２は、パラメータが所定値未満である場合に、操作キャラクタが第１の動作を行っている間に、タッチ操作を第２の時間にわたって継続させる操作の受け付けを開始することにより、スキルＵＩを表示部１５２に表示させてもよい。すなわち、パラメータが所定値未満である場合には、第１の動作中に開始したタッチ操作を第２の時間継続することでスキルＵＩを表示させてもよい。
【０１２３】
チャージ攻撃を実行するための条件を満たしていなくても、スキル行動を実行可能であるので、さらなる条件が未達であっても多様な動作を操作キャラに行わせることができる。
【０１２４】
［独立したチャージ攻撃を追加する処理例］
ゲーム実行部１１５は、操作キャラクタが第１の動作を行っていない間に、タッチ位置の移動の距離が所定の値未満であり、タッチ操作が第３の時間以上継続し、かつ離れる操作を受け付けた場合に、操作キャラクタにチャージ攻撃を行わせてもよい。例えば、操作キャラクタが移動動作をしない状態でユーザがタッチ操作を第３の時間以上継続して離した場合に、操作キャラクタにチャージ攻撃を行わせてもよい。第１の動作を行わなくてもチャージ攻撃を操作キャラクタに行わせることができるので、ユーザはより容易にチャージ攻撃を操作キャラクタに行わせることができる。この場合の処理例について説明する。
【０１２５】
本例は、操作キャラクタが第１の動作を行っていない間に行われる処理である。そのため、ゲーム実行部１１５が操作キャラクタに第１の動作を行わせていない間に次の処理が行われる。
【０１２６】
まず、タッチ操作受付部１１１は、ユーザによるタッチ操作を受け付けたか否かを判定する。タッチ操作を受け付けた場合には、タッチ操作受付部１１１は、受け付けているタッチ操作の位置の移動量がＬ以上か否かを判定する。タッチ操作の位置の移動量は、例えば、タッチ操作入力部１５１に物体１０１０を接触させる操作とそれに続くドラッグ操作がされた場合における、最初に物体１０１０がタッチ操作入力部１５１に接触した位置からユーザが現にタッチしている位置までの距離である。
【０１２７】
移動量がＬ未満である場合には、ゲーム実行部１１５は操作キャラクタを移動させない。この場合、ゲーム実行部１１５は、操作キャラクタを移動させずに、その場で動かないという動作を行わせてもよい。また、タッチ操作受付部１１１がタッチ操作の移動の方向のみを検出して、ゲーム実行部１１５は、操作キャラクタの方向のみを変更する動作を行わせてもよい。よって、表示制御部１１２は表示部１５２に、操作キャラクタを移動していない状態で表示させる。
【０１２８】
タッチ操作受付部１１１はタッチ操作の継続時間がｔ３秒以上であるか否かを判定する。ｔ３秒は、操作キャラクタが移動していない状態でのチャージ攻撃を実行させるか否かの判定基準となる時間であり、本願発明における第３の時間の一態様である。ｔ３秒は、ｔ１秒より長くてもよく、ｔ２秒に対しては長くても短くても同じでもよい。
【０１２９】
タッチ操作の継続時間がｔ３秒以上である場合では、タッチ操作受付部１１１は、タッチ操作が解除されたか否かを判定する。タッチ操作が解除されたことをタッチ操作受付部１１１が検出した場合に、ゲーム実行部１１５は、操作キャラクタにチャージ攻撃を実行させる。
【０１３０】
このように、ユーザ端末１００は、操作キャラクタが第１の動作を行っておらず、移動しないように表示されている状態でタッチ操作がｔ３秒以上継続し、かつ離れる操作を受け付けた場合に、操作キャラクタにチャージ攻撃を行わせてもよい。このような制御によれば、チャージ攻撃が第１の動作とは独立して単独に実行され得る。よって、操作キャラクタの動作をより多様化することが可能となる。
【０１３１】
なお、ユーザ端末１００は、タッチ操作の継続時間がｔ３秒以上であることを検出した後からユーザのタッチ操作が離れるまでの間、タッチ位置の移動に応じて操作キャラクタを移動させる制御を実行してもよい。この場合、ユーザは、操作キャラクタを、チャージ攻撃可能な状態で移動させることができる。また、ゲーム実行部１１５は、チャージ攻撃可能な操作キャラクタ５０１の移動を制限する処理を行ってもよい。かかる制限としては、例えば、移動速度を遅くしたり、移動をできなくしたりするなどが挙げられる。強力な攻撃と引き換えに操作キャラクタの移動が制限されることから、ゲームの興趣性を適正に維持する観点から有効である。
【０１３２】
［チャージ攻撃に関する処理例２］
ゲームプログラムは、操作キャラクタが第１の動作を行っていない間に、タッチ位置の移動の距離が所定の値未満であり、タッチ操作が第３の時間（例えばｔ３秒）以上継続し、かつ離れる操作を受け付けた場合に、操作キャラクタにチャージ攻撃以外の動作を行わせてもよい。第３の時間は第１の時間（例えばｔ１秒）と同じであってもよく、異なっていてもよい。ユーザはチャージ攻撃を操作キャラクタに行わせるためには、第１の動作を行っている間に第１の時間にわたって継続されているタッチ操作を行う必要があり、チャージ攻撃を行わせるためにユーザに求められる戦略性が増す。この場合の処理例について説明する。
【０１３３】
タッチ位置の移動の距離が所定の値未満であることによる操作キャラクタの動作に関する処理、および、タッチ操作の継続時間がｔ３秒以上であるか否かを検出するまでの処理は、［独立したチャージ攻撃を追加する処理例］と同じであるため説明を繰り返さない。
【０１３４】
タッチ操作受付部１１１はタッチ操作の継続時間がｔ３秒以上であると判定した場合、ゲーム実行部１１５は、チャージ攻撃以外の所定の動作を操作キャラクタに実行させる。
【０１３５】
本例によれば、その場でのタッチ操作の継続という簡単な操作ではチャージ攻撃が実行されず、チャージ攻撃についての制約を増すことができる。
【０１３６】
〔ソフトウェアによる実現例〕
制御部２１０の制御ブロック、ならびに、制御部１１０の制御ブロック（特に、ゲーム実行部１１５）は、集積回路（ＩＣチップ）等に形成された論理回路（ハードウェア）によって実現してもよいし、ＣＰＵ（Ｃｅｎｔｒａｌ  Ｐｒｏｃｅｓｓｉｎｇ  Ｕｎｉｔ）を用いてソフトウェアによって実現してもよい。
【０１３７】
後者の場合、制御部２１０または制御部１１０、もしくはその両方を備えた情報処理装置は、各機能を実現するソフトウェアであるプログラムの命令を実行するＣＰＵ、上記プログラムおよび各種データがコンピュータ（またはＣＰＵ）で読み取り可能に記録されたＲＯＭ（Ｒｅａｄ  Ｏｎｌｙ  Ｍｅｍｏｒｙ）または記憶装置（これらを「記録媒体」と称する）、上記プログラムを展開するＲＡＭ（Ｒａｎｄｏｍ  Ａｃｃｅｓｓ  Ｍｅｍｏｒｙ）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３９】
〔付記事項〕
本発明の一側面に係る内容を列記すると以下のとおりである。
【０１４０】
（項目１）  ゲームプログラム（１３１）について説明した。本開示のある局面によると、ゲームプログラムは、プロセッサ（１０、２０）およびメモリ（１１、２１）を備えるコンピュータ（ユーザ端末１００およびサーバ２００の少なくとも一方）により実行される。ゲームプログラムは、プロセッサに、ユーザが操作可能な操作キャラクタ（オブジェクト）を表示部（１５２）に表示させるステップと、ユーザのタッチ操作入力部（１５１）へのタッチ操作を検出するステップと、操作キャラクタが第１の動作（例えば第１の動作）を行っている間に、タッチ操作を第１の時間（ｔ１）にわたって継続させている操作を受け付けることにより、第１の動作に続いてチャージ攻撃（第２の動作）を操作キャラクタに行わせるステップ（Ｓ３０６）とを実行させる。これにより、少なくとも以下の効果を奏する。
【０１４１】
まず、ユーザのタッチ操作入力部へのタッチ操作によって実行されるゲームにおいて、ユーザのタッチ操作のタイミングと継続時間とによって、第１の動作に続く第２の動作をオブジェクトに行わせることができる。よって、ユーザによる簡単な操作によってオブジェクトの動作を多様化することができ、ゲームの興趣性が高められる。
【０１４２】
また、第１の動作に続けて第２の動作をオブジェクトに行わせることにより、ゲーム内における第１の動作の効果と第２の動作の効果との両方の効果を伴う効果が得られる。その結果、ゲームの興趣性がより高められる。
【０１４３】
（項目２）  （項目１）において、オブジェクトが第１の動作を行っている間に、タッチ操作を第２の時間（ｔ２）にわたって継続させる操作の受け付けを開始することにより、オブジェクトの第３の動作（スキル行動）のための第３の動作のためのユーザインターフェース（スキルＵＩ）を表示部に表示させるステップと、第２の時間まで継続したタッチ操作が、表示部における第３の動作のためのユーザインターフェースに対応する位置で離れた場合に、オブジェクトに第３の動作を行わせるステップとをプロセッサにさらに実行させる。このような構成によれば、ユーザは、継続する異なるタッチ操作のタイミングに応じて、第２の動作以外に第３の動作をオブジェクトに実行させることができる。よって、オブジェクトの動作がより多様化し、ゲームの興趣性がより高められる。
【０１４４】
（項目３）  （項目１）において、ゲームプログラムは、オブジェクトが第１の動作を行っている間に、タッチ操作を第２の時間にわたって継続させる操作の受け付けを開始することにより、オブジェクトの第３の動作のためのユーザインターフェースを表示部に表示させるステップと、第２の時間まで継続したタッチ操作が、表示部における第３の動作のためのユーザインターフェース以外の領域に対応する位置で離れた場合に、オブジェクトに第２の動作を行わせるステップとをプロセッサにさらに実行させる。このような構成によれば、ユーザは、第３の動作の準備が整っている状態で、オブジェクトに第３の動作を行わせるか、または第２の動作を行わせるか、の選択が可能となる。このように、オブジェクトの動作の選択肢が増えることから、オブジェクトの動作がより多様化し、ゲームの興趣性がより高められる。
【０１４５】
（項目４）  （項目１）から（項目３）までのいずれか一項目において、ゲームプログラムは、オブジェクトが第１の動作を行っていない間に、ユーザのタッチ操作の位置の移動の距離が所定の値未満であり、タッチ操作が第３の時間（ｔ３）以上継続し、かつ離れる操作を受け付けた場合に、オブジェクトに第２の動作以外の動作を行わせるステップをプロセッサにさらに実行させる。このような構成によれば、ユーザは、その場でのタッチ操作の継続という簡単な操作では第２の動作を実行させることができなくなる。このように、第２の動作についての制約が増すことにより、ゲームプレイのより高い戦略性が求められ、ゲームの興趣性がより高められる。
【０１４６】
（項目５）  （項目１）から（項目３）までのいずれか一項目において、ゲームプログラムは、オブジェクトが第１の動作を行っていない間に、ユーザのタッチ操作の位置の移動の距離が所定の値未満であり、タッチ操作が第３の時間以上継続し、かつ離れる操作を受け付けた場合に、オブジェクトに第２の動作を行わせるステップ、をプロセッサにさらに実行させる。このような構成によれば、ユーザは、第２の動作を、第１の動作とは独立して、単独に実行させることが可能となる。よって、オブジェクトの動作がより多様化し、ゲームの興趣性がより高められる。
【０１４７】
（項目６）  （項目１）において、ゲームプログラムは、ユーザの操作に応じて増加するパラメータを更新するステップをプロセッサにさらに実行させ、パラメータが所定値に達している場合に、第１の動作に続いて第２の動作をオブジェクトに行わせるステップを実行させる。このような構成によれば、さらなる条件の達成によって第２の動作を実行させることが可能となる。よって、ゲームの戦略性が高められる。また、第２の動作の実行のための達成条件が付加されることから、第２の動作に対する制約が適度に高められる。よって、ゲームの興趣性がより高められる。
【０１４８】
（項目７）  （項目６）において、ゲームプログラムは、パラメータが所定値未満である場合に、オブジェクトが第１の動作を行っている間に開始されたタッチ操作が第２の時間にわたって継続されたことを受け付けることにより、オブジェクトの第３の動作のためのユーザインターフェースを表示部に表示させるステップをプロセッサにさらに実行させる。このような構成によれば、さらなる条件が未達であっても、第２の動作に代えて第３の動作を実行させることが可能となる。よって、ゲームの戦略性の低減が抑制され、ゲームの興趣性を適正化される。
【０１４９】
（項目８）  （項目１）から（項目７）までのいずれか一項目において、ゲームプログラムは、オブジェクトが第１の動作を行っている間に、第１の時間より短い時間にわたって継続させるタッチ操作を受け付けることにより、上記第１の動作に続いてさらに第１の動作をオブジェクトに行わせるステップをプロセッサにさらに実行させる。このような構成によれば、ユーザは、複数の第１の動作を組み合わせてオブジェクトに実行させることが可能である。よって、オブジェクトの動作がさらに多様化し、ゲームの興趣性がより高まる。
【０１５０】
（項目９）  （項目８）において、第１の動作に続いて第２の動作を行わせるステップでは、第１の動作に続いて第１の動作を行わせるステップにおいて連続する第１の動作のうち後段の第１の動作をオブジェクトが行っている間に、タッチ操作を第１の時間にわたって継続させている操作を受け付けることにより、後段の第１の動作に続いて第２の動作をオブジェクトに行わせる。このような構成によれば、ユーザは、複数の第１の動作の組み合わせによるオブジェクトのさらなる動作に、第２の行動をさらに組み合わせて実行させることが可能となる。よって、オブジェクトの動作がさらに多様化し、ゲームの興趣性がより高まる。
【０１５１】
（項目１０）  （項目９）において、ゲームプログラムは、オブジェクトを表示させるステップにおいて、敵キャラクタと戦闘するオブジェクトを表示させ、第１の動作に続いて第１の動作を行わせるステップにおいて、連続する第１の動作のうち前段の第１の動作は、敵キャラクタの攻撃を回避する回避動作であり、後段の第１の動作は、敵キャラクタに対する攻撃動作である。このような構成によれば、ユーザは、オブジェクトに、回避動作の後の攻撃に続けて第２の動作を実行させることが可能となる。よって、オブジェクトの動作がより多様化され、また、第２の動作の対象となる敵キャラクタへの第２の動作がより有効に作用することがある。よって、ゲームの興趣性がより高まる。
【０１５２】
（項目１１）  （項目１）から（項目１０）までのいずれか一項目において、ゲームプログラムは、第１の動作に続いて第２の動作を行わせるステップにおいて、第１の動作を、タップおよびフリックのいずれかを含むタッチ操作の受付によって実行させる。このような構成によれば、ユーザは、異なる複数の第１の動作またはそれに応じた一連の動作の後に第２の動作を実行させることが可能である。よって、第１の動作における多様化により、第２の動作の多様化がより一層図られ、ゲームの興趣性がより高まる。
【０１５３】
（項目１２）  （項目１）から（項目１０）までのいずれか一項目において、ゲームプログラムは、第１の動作に続いて第２の動作を行わせるステップにおいて、第１の動作に続いて第２の動作を行わせるステップにおいて、第２の動作を行わせるための第１の時間にわたって継続する操作の受付期間を第１の動作の種類に応じて異ならせる。このような構成によれば、第２の動作のためのタッチ操作を受け付ける期間が第１の動作に応じて異なる。よって、上記タッチ操作の受付期間の違いによって、種々の第１の動作の後に、それに続く第２の動作が実行される。よって、第２の動作のための操作性をより一層適正化することが可能となり、ゲームの興趣性がより高まる。
【０１５４】
（項目１３）  ゲームプログラムを実行する方法を説明した。本開示のある局面によると、ゲームプログラムは、プロセッサおよびメモリを備えるコンピュータにより実行される。該方法は、プロセッサが（項目１）に記載の各ステップを実行する方法である。（項目１３）に係る方法は、（項目１）に係るゲームプログラムと同様の作用効果を奏する。
【０１５５】
（項目１４）  情報処理装置を説明した。本開示のある局面によると、該情報処理装置は、（項目１）に係るゲームプログラムを記憶する記憶部（１２０）と、該ゲームプログラムを実行することにより、情報処理装置（ユーザ端末１００）の動作を制御する制御部（１１０）とを備える。（項目１４）に係る情報処理装置は、（項目１）に係るゲームプログラムと同様の作用効果を奏する。
【符号の説明】
【０１５６】
１  ゲームシステム、２  ネットワーク、１０，２０  プロセッサ、１１，２１  メモリ、１２，２２  ストレージ、１３，２３  通信ＩＦ（操作部）、１４，２４  入出力ＩＦ（操作部）、１５  タッチスクリーン（表示部、操作部）、１７  カメラ（操作部）、１８  測距センサ（操作部）、１００  ユーザ端末（情報処理装置）、１１０，２１０  制御部、１１１  タッチ操作受付部、１１２  表示制御部、１１３  ＵＩ制御部、１１４  アニメーション生成部、１１５  ゲーム実行部、１２０，２２０  記憶部、１３１  ゲームプログラム、１３２  ゲーム情報、１３３  ユーザ情報、１５１  タッチ操作入力部（操作部）、１５２  表示部、２００  サーバ、５００  画面、５０１  操作キャラクタ、５０３  ゲージ、７０１  オーラ、７０２，９０３  衝撃波、８０１  弾性オブジェクト、８０２  第１スキル部、８０３  第２スキル部、８０４，８０５  スキル表示部、９０２  電気エネルギー、１０１０  物体、１０２０  コントローラ（操作部）、１０３０  記憶媒体
【図１】
2020028652.tif 000003
【図２】
2020028652.tif 000004
【図３】
2020028652.tif 000005
【図４】
2020028652.tif 000006
【図５】
2020028652.tif 000007
【図６】
2020028652.tif 000008
【図７】
2020028652.tif 000009
【図８】
2020028652.tif 000010
【図９】
2020028652.tif 000011
【図１０】
2020028652.tif 000012